(57)【要約】      （修正有）【課題】他者との間を空間的に隔離しつつ、他者とのコミュニケーションを適度に取ることが可能な衝立を提供する。【解決手段】衝立は、左右方向に対向する一対の側縁１ａを有する遮蔽パネル１と、一対の側縁に接続される一対の側面パネル２とを備え、遮蔽パネル及び一対の側面パネルが、一対の側面パネル同士が対向するように平面視でコ字状に配置可能であり、遮蔽パネルが窓部１ｂを有し、窓部を覆う透明な樹脂フィルム３をさらに備える。【選択図】図１
0003227556.tif 000002
【実用新案登録請求の範囲】
【請求項１】
左右方向に対向する一対の側縁を有する遮蔽パネルと、
上記一対の側縁に接続される一対の側面パネルと
を備え、
上記遮蔽パネル及び上記一対の側面パネルが、上記一対の側面パネル同士が対向するように平面視でコ字状に配置可能であり、
上記遮蔽パネルが窓部を有し、
上記窓部を覆う透明な樹脂フィルムをさらに備える衝立。
【請求項２】
上記遮蔽パネル及び上記一対の側面パネルが１枚の段ボールシートを折り曲げて構成されている請求項１に記載の衝立。
【請求項３】
上記窓部と重なり合う開口を有し、上記遮蔽パネルと着脱可能に接続される枠パネルをさらに備える請求項１又は請求項２に記載の衝立。
【請求項４】
上記遮蔽パネルが、上記窓部よりも上方及び下方に係止用スリットを有し、
上記枠パネルが、上記係止用スリットに係合可能な突片を有する請求項３に記載の衝立。
【請求項５】
上記窓部よりも上方における上記係止用スリット及び上記突片の係合部分と、上記窓部よりも下方における上記係止用スリット及び上記突片の係合部分との間に上記樹脂フィルムが挟み込まれている請求項４に記載の衝立。
【考案の詳細な説明】
【技術分野】
【０００１】
本考案は、衝立に関する。
【背景技術】
【０００２】
机上に配置され、オフィス等の室内空間を仕切るための衝立が用いられている。このような衝立として、高分子発泡樹脂からなる基部と、発泡性の多孔材や織布等からなり、基部に積層される吸音部とを有する複数の壁部をヒンジ部で接続した折り畳み衝立が発案されている（特開２０１９−１９６６４０号公報参照）。
【先行技術文献】
【特許文献】
【０００３】
【特許文献１】特開２０１９−１９６６４０号公報
【考案の概要】
【考案が解決しようとする課題】
【０００４】
上記公報に記載されているような従来の衝立は、作業者が集中できるように他者との間に隔絶した空間を形成することを意図している。一方、今日では、衛生的な観点から他者との間に隔絶した空間を形成することへの要求が高まっている。この場合、他者との間を空間的に隔絶しつつ、他者とのコミュニケーションを適度に取ることができることが望まれる。
【０００５】
しかしながら、上記公報に記載されている衝立は、壁部によって外部の空間と視覚的に遮断されると共に、吸音部によって聴覚的にも遮断されるため、他者とのコミュニケーションを取り難い。
【０００６】
本考案は、このような不都合に鑑みてなされたものであり、他者との間を空間的に隔離しつつ、他者とのコミュニケーションを適度に取ることが可能な衝立を提供することを目的とする。
【課題を解決するための手段】
【０００７】
上記課題を解決するためになされた本考案の一態様に係る衝立は、左右方向に対向する一対の側縁を有する遮蔽パネルと、上記一対の側縁に接続される一対の側面パネルとを備え、上記遮蔽パネル及び上記一対の側面パネルが、上記一対の側面パネル同士が対向するように平面視でコ字状に配置可能であり、上記遮蔽パネルが窓部を有し、上記窓部を覆う透明な樹脂フィルムをさらに備える。
【考案の効果】
【０００８】
本考案の一態様に係る衝立によると、他者との間を空間的に隔離しつつ、他者とのコミュニケーションを適度に取ることが可能である。
【図面の簡単な説明】
【０００９】
【図１】図１は、本考案の一実施形態に係る衝立を示す模式的斜視図である。
【図２】図２は、図１の衝立の図１とは異なる方向から見た模式的斜視図である。
【図３】図３は、図１の衝立の遮蔽パネル及び一対の側面パネルに組み立てられるシートを示す模式的平面図（展開図）である。
【図４】図４は、図１の衝立の枠パネルを示す模式的平面図である。
【図５】図５は、図１の衝立に使用可能な樹脂フィルムを示す模式的平面図である。
【図６】図６は、図１の衝立とは異なる実施形態に係る衝立を示す模式的斜視図である。
【図７】図７は、図６の衝立に組み立てられるシートセットを示す模式的平面図である。
【考案を実施するための形態】
【００１０】
［本考案の実施形態の説明］
最初に本考案の実施態様を列記して説明する。
【００１１】
本考案の一態様に係る衝立は、左右方向に対向する一対の側縁を有する遮蔽パネルと、上記一対の側縁に接続される一対の側面パネルとを備え、上記遮蔽パネル及び上記一対の側面パネルが、上記一対の側面パネル同士が対向するように平面視でコ字状に配置可能であり、上記遮蔽パネルが窓部を有し、上記窓部を覆う透明な樹脂フィルムをさらに備える。
【００１２】
当該衝立は、上記遮蔽パネル及び上記一対の側面パネルが平面視でコ字状に配置可能であるので、この状態で机上等に配置することができる。当該衝立は、上記遮蔽パネルが窓部を有するので、この窓部を介して他者を視認することができる。また、当該衝立は、上記窓部が透明な樹脂フィルムによって覆われているので、上記窓部を有する場合でも、他者との間を空間的に隔離することができる。従って、当該衝立によると、他者との間を空間的に隔離しつつ、上記窓部を介して他者とのコミュニケーションを適度に取ることができる。
【００１３】
上記遮蔽パネル及び上記一対の側面パネルが１枚の段ボールシートを折り曲げて構成されているとよい。このように、上記遮蔽パネル及び上記一対の側面パネルが１枚の段ボールシートを折り曲げて構成されていることによって、当該衝立の組み立てが容易であると共に、組み立て後の状態での姿勢の安定性に優れる。また、この構成によると、上記遮蔽パネルに上記一対の側面パネルを折り重ねておくことで、不使用時の保管を容易かつ確実に行うことができる。
【００１４】
当該衝立は、上記窓部と重なり合う開口を有し、上記遮蔽パネルと着脱可能に接続される枠パネルをさらに備えるとよい。このように、当該衝立は、上記窓部と重なり合う開口を有し、上記遮蔽パネルと着脱可能に接続される枠パネルをさらに備えることによって、上記樹脂フィルムを上記窓部を覆うように配置しやすい。
【００１５】
上記遮蔽パネルが、上記窓部よりも上方及び下方に係止用スリットを有し、上記枠パネルが、上記係止用スリットに係合可能な突片を有するとよい。このように、上記遮蔽パネルが、上記窓部よりも上方及び下方に係止用スリットを有し、上記枠パネルが、上記係止用スリットに係合可能な突片を有することによって、上記枠パネルを上記遮蔽パネルに容易かつ確実に固定することができる。
【００１６】
上記窓部よりも上方における上記係止用スリット及び上記突片の係合部分と、上記窓部よりも下方における上記係止用スリット及び上記突片の係合部分との間に上記樹脂フィルムが挟み込まれているとよい。このように、上記窓部よりも上方における上記係止用スリット及び上記突片の係合部分と、上記窓部よりも下方における上記係止用スリット及び上記突片の係合部分との間に上記樹脂フィルムが挟み込まれていることによって、上記樹脂フィルムを容易かつ安定的に配置することができる。
【００１７】
なお、本考案において、「左右方向」とは、一般的な使用態様における水平方向を意味する。また、「上」及び「下」とは、一般的な使用態様における上下を意味する。
【００１８】
［本考案の実施形態の詳細］
以下、適宜図面を参照しつつ、本考案の実施の形態を詳説する。
【００１９】
［第一実施形態］
図１及び図２の衝立１０は、左右方向に対向する一対の側縁１ａを有する遮蔽パネル１と、一対の側縁１ａに接続される一対の側面パネル２とを備える。一対の側縁１ａは上下方向に延びている。遮蔽パネル１及び一対の側面パネル２は、一対の側面パネル２同士が対向するように平面視でコ字状に配置可能である。遮蔽パネル１は、窓部１ｂを有する。当該衝立１０は、窓部１ｂを覆う透明な樹脂フィルム３を備える。さらに、当該衝立１０は、窓部１ｂと重なり合う開口４ａを有し、遮蔽パネル１と着脱可能に接続される枠パネル４を備える。当該衝立１０は、枠パネル４を備えることで、樹脂フィルム３を窓部１ｂを覆うように配置しやすい。当該衝立１０は、例えばオフィスに設置されるデスクの天板Ｘ上に配置される。
【００２０】
図３に示すように、遮蔽パネル１及び一対の側面パネル２は、１枚のシート１１から構成される。シート１１は、例えば段ボールシート、ボール紙等の紙製シート、合成樹脂製シート、紙製シートと合成樹脂製シートとの積層シート等から構成される。中でも、加工性、取扱性、リサイクル性、経済性等の点から紙製シートが好ましく、段ボールシートが特に好ましい。すなわち、遮蔽パネル１及び一対の側面パネル２は、１枚の段ボールシートを折り曲げて構成されることが好ましい。この構成によると、当該衝立１０の組み立てが容易であると共に、組み立て後の状態での姿勢の安定性に優れる。また、遮蔽パネル１に一対の側面パネル２を折り重ねておくことで、不使用時の保管を容易かつ確実に行うことができる。シート１１が段ボールシートからなる場合、段ボールシートの中芯の稜線は上下方向に延びることが好ましい。
【００２１】
（遮蔽パネル）
遮蔽パネル１は、天板Ｘに接地される底縁１ｃを有する。底縁１ｃには、左右方向を長手方向とする矩形状の切り欠き１ｄが形成されている。切り欠き１ｄは、例えば天板Ｘ上に配置され得る電子機器の配線等が通過できるように構成されている。切り欠き１ｄは、遮蔽パネル１を介して対面する他者と書類等の受け渡しを行うために用いられてもよい。
【００２２】
遮蔽パネル１は、全体として略矩形状である。遮蔽パネル１の左右方向長さとしては、例えば５０ｃｍ以上１５０ｃｍ以下とすることができる。遮蔽パネル１の上下方向長さとしては、例えば４０ｃｍ以上１２０ｃｍ以下とすることができる。
【００２３】
窓部１ｂは、遮蔽パネル１の上方、かつ左右方向の中央部に設けられている。窓部１ｂは、例えば略矩形状である。窓部１ｂの具体的形状としては、左右方向を長手方向とする長方形状が挙げられる。窓部１ｂの左右方向長さとしては、例えば２０ｃｍ以上６０ｃｍ以下とすることができる。窓部１ｂの上下方向長さとしては、例えば１０ｃｍ以上５０ｃｍ以下とすることができる。
【００２４】
遮蔽パネル１は、窓部１ｂよりも上方及び下方に係止用スリット１ｅを有する。本実施形態では、窓部１ｂの上方及び下方にそれぞれ３つの係止用スリット１ｅを有する。各係止用スリット１ｅは左右方向に延びている。窓部１ｂの上方に配置される３つの係止用スリット１ｅは、同一直線上に配置されている。窓部１ｂの下方に配置される３つの係止用スリット１ｅは、同一直線上に配置されている。窓部１ｂの上方に配置される係止用スリット１ｅと窓部１ｂの下方に配置される係止用スリット１ｅとは、上下方向に対向している。すなわち、本実施形態では、上下方向に対向する３対の係止用スリット１ｅを有する。３対の係止用スリット１ｅのうち、１対の係止用スリット１ｅは、窓部１ｂを挟んで上下方向に対向している。３対の係止用スリット１ｅのうち、他の２対の係止用スリット１ｅは、窓部１ｂよりも左右方向の両外側で上下方向に対向している。
【００２５】
（側面パネル）
一対の側面パネル２は、遮蔽パネル１の一対の側縁１ａから左右方向に延出している。一対の側面パネル２と遮蔽パネル１との間の境界線には折り曲げ容易線が形成されている。一対の側面パネル２は、遮蔽パネル１の底縁１ｃから左右方向に連続して延びる底縁２ｃを有する。一対の側面パネル２の底縁２ｃは、遮蔽パネル１の底縁１ｃと共に天板Ｘに接地される。
【００２６】
側面パネル２の底縁２ｃには、切り欠き２ｄが形成されている。切り欠き２ｄの形状としては、特に限定されるものではなく、半円状、矩形状等が挙げられる。切り欠き２ｄは、例えば天板Ｘ上に配置され得る電子機器の配線等が通過できるように構成されている。
【００２７】
図３に示すように、側面パネル２は、左右方向に間隔を空けて上下方向に延びる１又は複数の折り曲げ容易線２ａを有する。当該衝立１０は、側面パネル２が１又は複数の折り曲げ容易線２ａを有することで、天板Ｘ上の他の部材の配置等に合わせて所望の折り曲げ容易線２ａを折り曲げることによって、天板Ｘ上に安定的に配置しやすい。
【００２８】
側面パネル２の左右方向長さとしては、当該衝立１０を天板Ｘ上に安定的に配置できる限り特に限定されるものではない。側面パネル２の左右方向長さとしては、例えば２０ｃｍ以上５０ｃｍ以下とすることができる。
【００２９】
（枠パネル）
枠パネル４は、その開口４ａが窓部１ｂと重なり合った状態で遮蔽パネル１に固定される。開口４ａの形状と窓部１ｂの形状とは同じであることが好ましい。図４に示すように、枠パネル４は１枚のシートから構成され、好ましくは１枚の段ボールシートから構成される。枠パネル４が１枚の段ボールシートから構成される場合、この段ボールシートの中芯の稜線は上下方向に延びることが好ましい。
【００３０】
枠パネル４は、遮蔽パネル１に設けられる係止用スリット１ｅに係合可能な突片４ｂを有する。係止用スリット１ｅの個数と突片４ｂの個数とは同じである。突片４ｂは、枠パネル４に切断線を設け、この切断線で囲まれる領域を折り曲げることで形成される。当該衝立１０は、突片４ｂをそれぞれ係止用スリット１ｅに係合することで、枠パネル４を遮蔽パネル１に容易かつ確実に固定することができる。
【００３１】
（樹脂フィルム）
樹脂フィルム３は、窓部１ｂの全領域を覆うように配置される。樹脂フィルム３は、例えば遮蔽パネル１に直接固定されてもよい。一方で、樹脂フィルム３は、必要に応じて容易に取り替え又は取り外しできるよう、遮蔽パネル１には固定されない構成とすることも可能である。樹脂フィルム３を遮蔽パネル１に直接固定しない方法としては、例えばラミネート加工等によって樹脂フィルム３を枠パネル４に固定することで、樹脂フィルム３を枠パネル４と共に着脱可能とする構成が挙げられる。また、図５に示すように、樹脂フィルム３に、遮蔽パネル１の係止用スリット１ｅと重なり合うスリット３ａを設け、枠パネル４の突片４ｂを樹脂フィルム３のスリット３ａを通過させたうえで係止用スリット１ｅに係合させる構成を採用することも可能である。
【００３２】
また、樹脂フィルム３を遮蔽パネル１に直接固定しない方法としては、窓部１ｂよりも上方における係止用スリット１ｅ及び突片４ｂの係合部分と、窓部１ｂよりも下方における係止用スリット１ｅ及び突片４ｂの係合部分との間に樹脂フィルム３を挟み込む構成を採用することも可能である。この構成によると、樹脂フィルム３を容易かつ安定的に配置することができる。また、樹脂フィルム３を遮蔽パネル１及び枠パネル４とは独立して取り替え又は取り外しすることができる。この場合、樹脂フィルム３としては、例えば薄板状のシートを用いることができる。
【００３３】
＜利点＞
当該衝立１０は、遮蔽パネル１及び一対の側面パネル２が平面視でコ字状に配置可能であるので、この状態でデスクの天板Ｘ上に配置することができる。当該衝立１０は、遮蔽パネル１が窓部１ｂを有するので、この窓部１ｂを介して他者を視認することができる。また、当該衝立１０は、窓部１ｂが透明な樹脂フィルム３によって覆われているので、窓部１ｂを有する場合でも、他者との間を空間的に隔離することができる。従って、当該衝立１０によると、他者との間を空間的に隔離しつつ、窓部１ｂを介して他者とのコミュニケーションを適度に取ることができる。
【００３４】
［第二実施形態］
図６の衝立２０は、左右方向に対向する一対の側縁２１ａを有する第１遮蔽パネル２１と、一対の側縁２１ａに接続される一対の側面パネル２２とを備える。第１遮蔽パネル２１及び一対の側面パネル２２は、一対の側面パネル２２同士が対向するように平面視でコ字状に配置可能である。第１遮蔽パネル２１は第１窓部２１ｂを有する。当該衝立２０は、第１窓部２１ｂを覆う透明な第１樹脂フィルム２３を備える。また、当該衝立２０は、一方の側面パネル２２の第１遮蔽パネル２１と接続される側と反対側の側縁に接続される第２遮蔽パネル２４と、第１遮蔽パネル２１、一対の側面パネル２２及び第２遮蔽パネル２４の底縁２１ｃ、２２ｃ、２４ｃに接続される底面パネル２５と、第１遮蔽パネル２１、一対の側面パネル２２及び第２遮蔽パネル２４の天縁２１ｄ、２２ｄ、２４ｄに接続される天面パネル２６とを備える。第２遮蔽パネル２４は第２窓部２４ｂを有する。当該衝立２０は、第２窓部２４ｂを覆う透明な第２樹脂フィルム２７を備える。第１遮蔽パネル２１と第２遮蔽パネル２４とは平行に配置される。底面パネル２５と天面パネル２６とは平行に配置される。第１樹脂フィルム２３は、例えば第１遮蔽パネル２１に直接貼着される。第２樹脂フィルム２７は、例えば第２遮蔽パネル２４に直接貼着される。
【００３５】
図７に示すように、第１遮蔽パネル２１、側面パネル２２、第２遮蔽パネル２４、底面パネル２５及び天面パネル２６は、それぞれ別個のシート体として構成される。第１遮蔽パネル２１、側面パネル２２、第２遮蔽パネル２４、底面パネル２５及び天面パネル２６は、それぞれ段ボールシートから構成されることが好ましい。
【００３６】
第１遮蔽パネル２１の一対の側縁２１ａ、底縁２１ｃ及び天縁２１ｄにはそれぞれ係合突起が形成されている。第２遮蔽パネル２４の側面パネル２２と接続される側の側縁２４ａ、底縁２４ｃ及び天縁２４ｄにはそれぞれ係合突起が形成されている。
【００３７】
一対の側面パネル２２の底縁２２ｃ及び天縁２２ｄにはそれぞれ係合突起が形成されている。また、一方の側面パネル２２には、第１遮蔽パネルの側縁２１ａに設けられる係合突起が挿入される係止用スリットが形成されている。さらに、他方の側面パネル２２には、第１遮蔽パネルの側縁２１ａに設けられる係合突起が挿入される係止用スリット、及び第２遮蔽パネル２４の側縁２４ａに設けられる係合突起が挿入される係止用スリットが形成されている。
【００３８】
底面パネル２５には、第１遮蔽パネル２１、一対の側面パネル２２及び第２遮蔽パネル２４の底縁２１ｃ、２２ｃ、２４ｃに設けられる係合突起が挿入される係止用スリットが形成されている。
【００３９】
天面パネル２６には、第１遮蔽パネル２１、一対の側面パネル２２及び第２遮蔽パネル２４の天縁２１ｄ、２２ｄ、２４ｄに設けられる係合突起が挿入される係止用スリットが形成されている。
【００４０】
当該衝立２０は、第１遮蔽パネル２１、一対の側面パネル２２及び第２遮蔽パネル２４に形成される係合突起を、それぞれ対応する係止用スリットに挿入することで組み立てられる。
【００４１】
＜利点＞
当該衝立２０によると、図１及び図２の衝立１０と同じように、他者との間を空間的に隔離しつつ、第１窓部２１ｂ及び第２窓部２４ｂを介して他者とのコミュニケーションを適度に取ることができる。
【００４２】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００４３】
例えば当該衝立は、遮蔽パネルと着脱可能に接続される枠パネルを備える場合でも、上記遮蔽パネルと上記枠パネルとを接続するための具体的な構成は特に限定されるものではない。また、当該衝立は、上記遮蔽パネルと上記枠パネルとが予め連接されていてもよい。例えば上記枠パネルは、上記遮蔽パネルの天縁から延出しており、上記遮蔽パネルとの境界線で折り返されることで上記開口と上記窓部とが重なり合うように配置されてもよい。
【産業上の利用可能性】
【００４４】
以上のように、本考案の一態様に係る衝立は、衛生的な観点から他者との間を空間的に隔離するのに適している。
【符号の説明】
【００４５】
１  遮蔽パネル
１ａ  側縁
１ｂ  窓部
１ｃ  底縁
１ｄ  切り欠き
１ｅ  係止用スリット
２  側面パネル
２ａ  折り曲げ容易線
２ｃ  底縁
２ｄ  切り欠き
３  樹脂フィルム
３ａ  スリット
４  枠パネル
４ａ  開口
４ｂ  突片
１０、２０  衝立
１１  シート
２１  第１遮蔽パネル
２１ａ  側縁
２１ｂ  第１窓部
２１ｃ  底縁
２１ｄ  天縁
２２  側面パネル
２２ｃ  底縁
２２ｄ  天縁
２３  第１樹脂フィルム
２４  第２遮蔽パネル
２４ａ  側縁
２４ｂ  第２窓部
２４ｃ  底縁
２４ｄ  天縁
２５  底面パネル
２６  天面パネル
２７  第２樹脂フィルム
Ｘ  天板
【図１】
0003227556.tif 000003
【図２】
0003227556.tif 000004
【図３】
0003227556.tif 000005
【図４】
0003227556.tif 000006
【図５】
0003227556.tif 000007
【図６】
0003227556.tif 000008
【図７】
0003227556.tif 000009